(57)【要約】【課題】第１色の色材を用いて画像形成を行う場合の画質を調整する際、第１色との色差が予め定めた閾値以上である第２色の色材の上に第１色の色材を重ねて画像形成する場合と比較して、画質の調整を精度良く行うことができる画像形成装置及び画像形成プログラムを提供する。【解決手段】透光性を有する画像形成媒体の第１面に第１色の色材で第１画像を形成する第１形成手段と、第１面の反対側の第２面における第１画像が形成された領域に対応する対応領域に、第１色との色差が予め定めた閾値以上である第２色の色材で第２画像を形成する第２形成手段と、を備え、第１画像の濃度を取得し、取得した濃度、及び予め定めた第１画像の目標濃度を用いて第１色の色材の濃度補正情報を生成する。【選択図】図２
2017058399.tif 000002
【特許請求の範囲】
【請求項１】
透光性を有する画像形成媒体の第１面に第１色の色材で第１画像を形成する第１形成手段と、
前記第１面の反対側の第２面における前記第１画像が形成された領域に対応する対応領域に、前記第１色との色差が予め定めた閾値以上である第２色の色材で第２画像を形成する第２形成手段と、
前記第１面に形成された前記第１画像の濃度を取得する取得手段と、
前記取得手段により取得された前記第１画像の濃度、及び予め定めた前記第１画像の目標濃度を用いて前記第１色の色材の濃度補正情報を生成する生成手段と、
を備えた画像形成装置。
【請求項２】
前記第１形成手段は、前記第１面に第１色の色材で複数の前記第１画像を各々異なる印刷カバレッジで形成し、
前記取得手段は、前記第１面に形成された複数の前記第１画像の濃度を前記第１画像毎に取得し、
前記生成手段は、前記取得手段により取得された前記第１画像毎の前記濃度、及び前記第１画像毎に予め定めておいた目標濃度を用いて、前記第１色の色材の濃度補正情報を生成する
請求項１記載の画像形成装置。
【請求項３】
前記第２形成手段は、前記第２面における、前記対応領域を含み、かつ前記対応領域より面積が広い領域に、前記第２色の色材で前記第２画像を形成する
請求項１又は２記載の画像形成装置。
【請求項４】
透光性を有する画像形成媒体の第１面に第１色の色材で第１画像を形成する第１形成手段と、
前記第１面の反対側の第２面における前記第１画像が形成された領域に対応する対応領域に、前記第１色との色差が予め定めた閾値以上である第２色の色材で第２画像を形成する第２形成手段と、
前記第１面の前記第１画像と隣接する位置に、前記第１色及び前記第２色の何れとも異なる第３色の色材で、第３画像を形成する第３形成手段と、
前記第１面に形成された前記第１画像及び前記第３画像のずれ量を取得する取得手段と、
前記取得手段により取得された前記ずれ量を用いて前記第１色の色材の位置調整情報を生成する生成手段と、
を備えた画像形成装置。
【請求項５】
前記第３形成手段は、前記第１画像と前記画像形成媒体の搬送方向に隣接する位置に前記第３画像を形成し、
前記取得手段は、前記第１面に形成された前記第１画像及び前記第３画像の位置の前記搬送方向に交差する搬送幅方向のずれ量を取得し、
前記生成手段は、前記取得手段により取得された前記搬送幅方向のずれ量を用いて前記第１色の色材の前記搬送幅方向の位置調整情報を生成する
請求項４記載の画像形成装置。
【請求項６】
前記第３形成手段は、前記第１画像と前記画像形成媒体の搬送方向と交差する搬送幅方向に隣接する位置に前記第３画像を形成し、
前記取得手段は、前記第１面に形成された前記第１画像及び前記第３画像の位置の前記搬送方向のずれ量を取得し、
前記生成手段は、前記取得手段により取得された前記搬送方向のずれ量を用いて前記第１色の色材の前記搬送方向の位置調整情報を生成する
請求項４又は５記載の画像形成装置。
【請求項７】
透光性を有する画像形成媒体の第１面に第１色の色材で第１画像を形成する第１形成手段と、
前記第１面の反対側の第２面における前記第１画像が形成された領域に対応する対応領域に、前記第１色との色差が予め定めた閾値以上である第２色の色材で第２画像を形成する第２形成手段と、
前記第１面に形成された前記第１画像内の複数の位置での濃度を取得する取得手段と、
前記取得手段により取得された前記複数の位置での濃度を用いて前記第１色の色材のムラ調整情報を生成する生成手段と、
を備えた画像形成装置。
【請求項８】
前記取得手段は、前記第１面に形成された前記第１画像内の、前記画像形成媒体の搬送方向における位置が各々異なる複数の位置での濃度を取得し、
前記生成手段は、前記取得手段により取得された前記搬送方向における位置が各々異なる複数の位置での濃度を用いて前記第１色の色材の前記搬送方向のムラ調整情報を生成する
請求項７記載の画像形成装置。
【請求項９】
前記取得手段は、前記第１面に形成された前記第１画像内の、前記画像形成媒体の搬送方向と交差する搬送幅方向における位置が各々異なる複数の位置での濃度を取得し、
前記生成手段は、前記取得手段により取得された前記搬送幅方向における位置が各々異なる複数の位置での濃度を用いて前記第１色の色材の前記搬送幅方向のムラ調整情報を生成する
請求項７又は８記載の画像形成装置。
【請求項１０】
前記第１色は白色であり、前記第２色は黒色である
請求項１〜９の何れか１項記載の画像形成装置。
【請求項１１】
コンピュータを、請求項１〜１０の何れか１項記載の画像形成装置を構成する取得手段及び生成手段として機能させるための画像形成プログラム。
【発明の詳細な説明】
【技術分野】
【０００１】
本発明は、画像形成装置及び画像形成プログラムに関する。
【背景技術】
【０００２】
特許文献１には、第１インク、及び、前記第１インクとは異なる色の第２インクを吐出するヘッドと、媒体に対して非接触型の濃度センサと、前記ヘッド及び前記濃度センサの動作を制御するコントローラーと、を備えた印刷装置であって、前記コントローラーは、前記ヘッドを所定方向に移動させながら前記媒体に向けて前記第１インクを吐出させることにより、前記所定方向に沿って複数のパッチが並ぶ第１パターンであって、前記所定方向の一端側から他端側に向けて前記第１インクの吐出量が増加する第１パターンと、前記ヘッドを前記所定方向に移動させながら前記媒体に向けて前記第２インクを吐出させることにより、前記所定方向に沿って複数のパッチが並ぶ第２パターンであって、前記所定方向の前記一端側から前記他端側に向けて前記第２インクの吐出量が増加し、且つ、前記所定方向と交差する交差方向に前記第１パターンと並んだ第２パターンと、を前記媒体に形成し、前記第１パターン及び前記第２パターンの各パッチを前記濃度センサに読み取らせ、前記第１パターンの読み取り結果及び前記第２パターンの読み取り結果に基づいて前記ヘッドからの前記第１インクの吐出量を補正することを特徴とする印刷装置が開示されている。
【先行技術文献】
【特許文献】
【０００３】
【特許文献１】特開２０１３−１４６９２２号公報
【発明の概要】
【発明が解決しようとする課題】
【０００４】
例えば白色の色材（第１色）で画像形成する場合の階調特性及び濃度維持性を含む画質調整を行う際に、透明フィルム上に白色の色材による画像形成を行い、白色の色材で画像形成された領域に対して測色を行ったりスキャナで読み取ったりする処理を行う。この場合に、透明フィルムの背部の色が色材の色と同じ白色であった場合には、白色の色材で画像形成された領域と何も画像形成されていない領域とを区別することが困難となる。また、白色の色材で画像形成する前に、下地として、黒色（第２色）の色材で画像形成を行い、黒色の色材の上に白色の色材を重ねて画像形成することも考えられる。しかしながら、この場合には、白色の色材が下地である黒色の色材に染み込んでしまう可能性があり、白色の色材で画像形成された領域の色が精度良く測色されるとは限らない。
【０００５】
本発明は、第１色の色材を用いて画像形成を行う場合の画質を調整する際、第１色との色差が予め定めた閾値以上である第２色の色材の上に第１色の色材を重ねて画像形成する場合と比較して、画質の調整を精度良く行うことができる画像形成装置及び画像形成プログラムを提供することを目的とする。
【課題を解決するための手段】
【０００６】
上記目的を達成するために、請求項１に記載の画像形成装置は、透光性を有する画像形成媒体の第１面に第１色の色材で第１画像を形成する第１形成手段と、前記第１面の反対側の第２面における前記第１画像が形成された領域に対応する対応領域に、前記第１色との色差が予め定めた閾値以上である第２色の色材で第２画像を形成する第２形成手段と、前記第１面に形成された前記第１画像の濃度を取得する取得手段と、前記取得手段により取得された前記第１画像の濃度、及び予め定めた前記第１画像の目標濃度を用いて前記第１色の色材の濃度補正情報を生成する生成手段と、を備える。
【０００７】
また、請求項２に記載の発明は、請求項１に記載の発明において、前記第１形成手段は、前記第１面に第１色の色材で複数の前記第１画像を各々異なる印刷カバレッジで形成し、前記取得手段は、前記第１面に形成された複数の前記第１画像の濃度を前記第１画像毎に取得し、前記生成手段は、前記取得手段により取得された前記第１画像毎の前記濃度、及び前記第１画像毎に予め定めておいた目標濃度を用いて、前記第１色の色材の濃度補正情報を生成する。
【０００８】
また、請求項３に記載の発明は、請求項１又は２に記載の発明において、前記第２形成手段は、前記第２面における、前記対応領域を含み、かつ前記対応領域より面積が広い領域に、前記第２色の色材で前記第２画像を形成する。
【０００９】
また、請求項４に記載の発明は、透光性を有する画像形成媒体の第１面に第１色の色材で第１画像を形成する第１形成手段と、前記第１面の反対側の第２面における前記第１画像が形成された領域に対応する対応領域に、前記第１色との色差が予め定めた閾値以上である第２色の色材で第２画像を形成する第２形成手段と、前記第１面の前記第１画像と隣接する位置に、前記第１色及び前記第２色の何れとも異なる第３色の色材で、第３画像を形成する第３形成手段と、前記第１面に形成された前記第１画像及び前記第３画像のずれ量を取得する取得手段と、前記取得手段により取得された前記ずれ量を用いて前記第１色の色材の位置調整情報を生成する生成手段と、を備える。
【００１０】
また、請求項５に記載の発明は、請求項４記載の発明において、前記第３形成手段は、前記第１画像と前記画像形成媒体の搬送方向に隣接する位置に前記第３画像を形成し、前記取得手段は、前記第１面に形成された前記第１画像及び前記第３画像の位置の前記搬送方向に交差する搬送幅方向のずれ量を取得し、前記生成手段は、前記取得手段により取得された前記搬送幅方向のずれ量を用いて前記第１色の色材の前記搬送幅方向の位置調整情報を生成する。
【００１１】
また、請求項６に記載の発明は、請求項４又は５記載の発明において、前記第３形成手段は、前記第１画像と前記画像形成媒体の搬送方向と交差する搬送幅方向に隣接する位置に前記第３画像を形成し、前記取得手段は、前記第１面に形成された前記第１画像及び前記第３画像の位置の前記搬送方向のずれ量を取得し、前記生成手段は、前記取得手段により取得された前記搬送方向のずれ量を用いて前記第１色の色材の前記搬送方向の位置調整情報を生成する。
【００１２】
また、請求項７に記載の発明は、透光性を有する画像形成媒体の第１面に第１色の色材で第１画像を形成する第１形成手段と、前記第１面の反対側の第２面における前記第１画像が形成された領域に対応する対応領域に、前記第１色との色差が予め定めた閾値以上である第２色の色材で第２画像を形成する第２形成手段と、前記第１面に形成された前記第１画像内の複数の位置での濃度を取得する取得手段と、前記取得手段により取得された前記複数の位置での濃度を用いて前記第１色の色材のムラ調整情報を生成する生成手段と、を備える。
【００１３】
また、請求項８に記載の発明は、請求項７記載の発明において、前記取得手段は、前記第１面に形成された前記第１画像内の、前記画像形成媒体の搬送方向における位置が各々異なる複数の位置での濃度を取得し、前記生成手段は、前記取得手段により取得された前記搬送方向における位置が各々異なる複数の位置での濃度を用いて前記第１色の色材の前記搬送方向のムラ調整情報を生成する。
【００１４】
また、請求項９に記載の発明は、請求項７又は８記載の発明において、前記取得手段は、前記第１面に形成された前記第１画像内の、前記画像形成媒体の搬送方向と交差する搬送幅方向における位置が各々異なる複数の位置での濃度を取得し、前記生成手段は、前記取得手段により取得された前記搬送幅方向における位置が各々異なる複数の位置での濃度を用いて前記第１色の色材の前記搬送幅方向のムラ調整情報を生成する。
【００１５】
また、請求項１０に記載の発明は、請求項１〜９の何れか１項に記載の発明において、前記第１色は白色であり、前記第２色は黒色である。
【００１６】
一方、上記目的を達成するために、請求項１１に記載の画像形成プログラムは、コンピュータを、請求項１〜１０の何れか１項記載の画像形成装置を構成する取得手段及び生成手段として機能させるためのプログラムである。
【発明の効果】
【００１７】
請求項１、１１に記載の発明によれば、第１色の色材を用いて画像形成を行う場合の画質を調整する際、第１色との色差が予め定めた閾値以上である第２色の色材の上に第１色の色材を重ねて画像形成する場合と比較して、画質の調整を精度良く行うことができる。
【００１８】
請求項２に記載の発明によれば、画像形成媒体の第１面に濃度を一定とした第１画像を形成する場合と比較して、第１色の色材の画質調整を精度良く行うことができる。
【００１９】
請求項３に記載の発明によれば、第２面における、第１画像に対応する対応領域のみに第２画像を形成する場合と比較して、第１色の色材による画像形成においてレジずれが発生している場合であっても第１色の色材の画質調整を精度良く行うことができる。
【００２０】
請求項４に記載の発明によれば、第１色の色材を用いて画像形成を行う場合の画像形成位置を調整する際、第１色との色差が予め定めた閾値以上である第２色の色材の上に第１色の色材を重ねて画像形成する場合と比較して、第１色の色材の画像形成位置の調整を精度良く行うことができる。
【００２１】
請求項５に記載の発明によれば、画像形成媒体の搬送方向と交差する搬送幅方向における第１色の色材の画像形成位置の調整を精度良く行うことができる。
【００２２】
請求項６に記載の発明によれば、画像形成媒体の搬送方向における第１色の色材の画像形成位置の調整を精度良く行うことができる。
【００２３】
請求項７に記載の発明によれば、第１色の色材を用いて画像形成を行う場合の面内ムラを調整する際、第１色との色差が予め定めた閾値以上である第２色の色材の上に第１色の色材を重ねて画像形成する場合と比較して、第１色の色材の面内ムラの調整を精度良く行うことができる。
【００２４】
請求項８に記載の発明によれば、画像形成媒体の搬送方向において発生する周期的な面内ムラの調整を精度良く行うことができる。
【００２５】
請求項９に記載の発明によれば、画像形成媒体の搬送幅方向において発生する面内ムラの調整を精度良く行うことができる。
【００２６】
請求項１０に記載の発明によれば、白色の色材の画質調整を精度良く行うことができる。
【図面の簡単な説明】
【００２７】
【図１】実施形態に係る画像形成装置の構成を示す概略構成図（破断側面図）である。
【図２】実施形態に係る画像形成装置の機能を示すブロック図である。
【図３】実施形態に係るトナー情報の一例を示す模式図である。
【図４】実施形態に係るメディア情報の一例を示す模式図である。
【図５】実施形態に係る画像形成モード情報の一例を示す模式図である。
【図６】第１実施形態に係る表面基準パターンの一例及び裏面基準パターンの一例を示す正面図である。
【図７】第１実施形態に係る表面基準パターンの一例及び裏面基準パターンの一例を示す側面図である。
【図８】第１実施形態に係る表面基準パターンの別例及び裏面基準パターンの別例を示す正面図である。
【図９】第１実施形態に係る表面基準パターンの別例及び裏面基準パターンの別例を示す側面図である。
【図１０】実施形態に係る画像形成装置の電気系の要部構成を示すブロック図である。
【図１１】第１実施形態に係るキャリブレーション処理のプログラムの流れを示すフローチャートである。
【図１２】第１実施形態に係る画像形成装置における白色のトナーによる画像形成を行った領域の白色のトナーの印刷カバレッジと出力濃度との関係の一例を示すグラフである。
【図１３】第２実施形態に係る表面基準パターンの一例及び裏面基準パターンの一例を示す正面図である。
【図１４】第２実施形態に係るレジずれ調整処理のプログラムの流れを示すフローチャートである。
【図１５】第３実施形態に係る表面基準パターンの一例及び裏面基準パターンの一例を示す正面図である。
【図１６】第３実施形態に係る面内ムラ調整処理のプログラムの流れを示すフローチャートである。
【図１７Ａ】第３実施形態に係る画像形成装置における白色のトナーによる画像形成の位置と濃度の検出値との関係の一例を示すグラフである。
【図１７Ｂ】第３実施形態に係る画像形成装置における白色のトナーによる画像形成の位置とレーザ光量との関係の一例を示すグラフである。
【発明を実施するための形態】
【００２８】
以下、添付図面を参照して、本発明の実施形態について詳細に説明する。
【００２９】
〔第１実施形態〕
【００３０】
まず、第１実施形態に係る画像形成装置について説明する。なお、第１実施形態では、透光性を有する画像形成媒体を用いて白色の色材（トナー）の濃度補正（キャリブレーション）を実施する場合について説明する。
【００３１】
なお、本実施形態では、透光性を有する画像形成媒体として無色の透明フィルムを用いた場合について説明するが、これに限らず、赤色、黄色等の有色の透明フィルムであっても良く、白濁色等の半透明フィルムであっても良い。
【００３２】
以下、図面を参照して、本発明を実施するための形態を詳細に説明する。なお、ここでは、本発明を、電子写真方式を用いた所謂タンデム型のフルカラーの画像形成装置に適用した場合について説明する。
【００３３】
まず、図１を参照して、本実施形態に係る画像形成装置１０の構成を説明する。なお、以下では、黄色をＹ、マゼンタ色をＭ、シアン色をＣ、黒色をＫ、白色をＷで表す。また、各部品を色毎に区別する必要がある場合には、符号の末尾に各色に対応する色符号（Ｙ、Ｍ、Ｃ、Ｋ、Ｗ）を付して説明する。また、以下では、各構成部品を色毎に区別せずに総称する場合には、符号の末尾の色符号を省略して説明する。
【００３４】
本実施形態に係る画像形成装置１０は、Ｙ、Ｍ、Ｃ、Ｋ、Ｗ毎に、図１の矢印Ａの方向に回転する４つの像保持体である感光体１２Ｙ、１２Ｍ、１２Ｃ、１２Ｋ、１２Ｗを備えている。また、画像形成装置１０は、帯電バイアスを印加することにより各感光体１２の表面を帯電する帯電器１４Ｙ、１４Ｍ、１４Ｃ、１４Ｋ、１４Ｗを備えている。
【００３５】
また、画像形成装置１０は、帯電された感光体１２の表面を各色の画像情報に基づいて変調された露光光により露光し、感光体１２上に静電潜像を形成するレーザ出力部１６Ｙ、１６Ｍ、１６Ｃ、１６Ｋ、１６Ｗを備えている。また、画像形成装置１０は、各色の現像剤（トナー）を保持する現像ロール１８Ｙ、１８Ｍ、１８Ｃ、１８Ｋ、１８Ｗを備えている。
【００３６】
また、画像形成装置１０は、図示しない現像バイアス用電源を備えている。そして、画像形成装置１０は、現像ロール１８に現像バイアスを印加することにより、感光体１２上の静電潜像を各色のトナーで現像して感光体１２上にトナー像を形成する現像器２０Ｙ、２０Ｍ、２０Ｃ、２０Ｋ、２０Ｗを備えている。現像器２０には、補充されたトナーを撹拌する図示しない撹拌部材が設けられていて、現像器２０の内部に排出されたトナーは、トナー濃度が均一化されるように撹拌部材により撹拌される。
【００３７】
また、画像形成装置１０は、トナーが内部に貯蔵され、貯蔵されたトナーを現像器２０の各々に補充するトナー補充漕２１Ｙ、２１Ｍ、２１Ｃ、２１Ｋ、２１Ｗを備えている。トナー補充漕２１には、一定速度で回転することにより、貯蔵されているトナーを一定の補充速度で排出して現像器２０に補充する図示しないスクリューが設けられている。
【００３８】
また、画像形成装置１０は、感光体１２上の各色のトナー像を中間転写ベルト２２に転写する一次転写器２４Ｙ、２４Ｍ、２４Ｃ、２４Ｋ、２４Ｗを備えている。
【００３９】
また、画像形成装置１０は、用紙、透明フィルム等の画像形成媒体Ｐを収納する用紙収容部２６と、中間転写ベルト２２上のトナー像を画像形成媒体Ｐに転写する二次転写装置２８と、を備えている。なお、画像形成装置１０で用いられる画像形成媒体Ｐの種類が複数ある場合、画像形成装置１０は、複数の用紙収容部２６を画像形成媒体Ｐの種類毎に備えている。また、画像形成装置１０は、画像形成媒体Ｐに転写されたトナー像を定着する定着器３０と、トナー像を画像形成媒体Ｐに転写した後に、中間転写ベルト２２の表面に残留するトナーをクリーニングする図示しないベルトクリーナーと、を備えている。また、画像形成装置１０は、画像形成媒体Ｐを搬入し、表裏を反転した状態で搬出する反転装置６２を備えている。
【００４０】
また、画像形成装置１０は、画像形成媒体Ｐに形成された画像の濃度を検出する測色器６０であって、画像形成媒体Ｐの搬送方向、及び搬送方向と交差する搬送幅方向に移動可能な測色器６０を備えている。本実施形態では、画像形成媒体Ｐに形成された画像の濃度を測色器６０によって検出するが、画像形成媒体Ｐに形成された画像の濃度を検出する装置はこれに限らない。例えば、画像形成装置１０が、測色器６０の代わりにスキャナを備えていて、画像形成媒体Ｐに形成された画像がスキャナにより読み取られた読取画像の各画素の画素値に基づいて画像の濃度を求めても良い。
【００４１】
次に、本実施形態に係る画像形成装置１０における画像形成工程について説明する。
【００４２】
形成される画像を示す画像情報が入力されると、画像形成装置１０は帯電器１４に帯電バイアスを印加し、感光体１２の表面を負極に帯電する。
【００４３】
一方、画像形成装置１０は、画像情報をＹＭＣＫＷ各色の画像情報に分解した後、各色の画像情報に基づいた変調信号を、対応する色のレーザ出力部１６に出力する。レーザ出力部１６は、入力された変調信号に従って変調されたレーザ光線Ｌを出力する。
【００４４】
変調されて出力されたレーザ光線Ｌは、各々感光体１２の表面に照射される。感光体１２の表面は帯電器１４により負極に帯電した状態にあるが、感光体１２の表面にレーザ光線Ｌが照射されると、レーザ光線Ｌが照射された部分の電荷が消滅して、感光体１２上にはそれぞれＹＭＣＫＷ各色の画像情報に対応した静電潜像が形成される。
【００４５】
感光体１２上に形成された静電潜像が現像器２０に到達すると、図示しない現像バイアス用電源により現像器２０内の現像ロール１８に現像バイアスが印加される。そして、現像ロール１８の周面に保持された各色のトナーが、各々感光体１２の静電潜像に付着し、感光体１２に各色の画像情報に対応したトナー像が形成される。
【００４６】
また、図示しないモータによりローラ３２Ａ〜３２Ｃ、及び二次転写装置２８のバックアップロール２８Ａが回転し、中間転写ベルト２２が一次転写器２４と感光体１２とにより形成される間隙に搬送されて、中間転写ベルト２２が感光体１２に押し当てられる。この際、一次転写器２４により一次転写バイアスが印加されると、感光体１２に形成された各色のトナー像が、中間転写ベルト２２に転写される。この場合、各色のトナー像の中間転写ベルト２２への転写開始位置を一致させるようにローラ３２Ａ〜３２Ｃ、及びバックアップロール２８Ａの回転を制御する。このようにして各色のトナー像を重ね合わせることにより、画像情報に対応したトナー像が中間転写ベルト２２に形成される。なお、図１では、中間転写ベルト２２の搬送方向を矢印Ｂとして示している。
【００４７】
中間転写ベルト２２へトナー像を転写した感光体１２は、クリーナーにより表面に付着した残留トナー等の付着物が除去され、除電器により残留電荷が除去される。
【００４８】
一方、二次転写装置２８は、例えば中間転写ベルト２２を支持するバックアップロール２８Ａ、バックアップロール２８Ａと共に画像形成媒体Ｐを挟持する二次転写ロール２８Ｂ、補助ロール２８Ｃを備えている。また、二次転写装置２８は、二次転写ロール２８Ｂ及び補助ロール２８Ｃに張架され、二次転写ロール２８Ｂの回転に追従して画像形成媒体Ｐを搬送する二次転写ベルト３４も備えている。そして、二次転写ロール２８Ｂは、中間転写ベルト２２に接触することで、中間転写ベルト２２の搬送に追従して回転する。
【００４９】
また、図示しないモータにより用紙搬送ローラ３６が回転することで、用紙収容部２６内の画像形成媒体Ｐがバックアップロール２８Ａと二次転写ロール２８Ｂとにより形成される間隙に搬送される。
【００５０】
そして、画像形成媒体Ｐが、トナー像が形成されている中間転写ベルト２２の面と対向した状態でバックアップロール２８Ａと二次転写ロール２８Ｂとの間隙に挟まれる際に、バックアップロール２８Ａに二次転写バイアスが供給される。また、中間転写ベルト２２に形成されたトナー像が画像形成媒体Ｐの表面に転写される。そして、画像形成媒体Ｐは中間搬送ローラ３８Ａ、３８Ｂにより定着器３０に搬送され、定着器３０により画像形成媒体Ｐ上に転写されたトナー像が加熱溶融されて、トナー像が画像形成媒体Ｐに定着される。
【００５１】
なお、画像形成媒体Ｐの両面に画像形成する場合には、表面にトナー像が定着された画像形成媒体Ｐが反転装置６２により表裏が反転された状態で二次転写装置２８による転写位置に搬送される。そして、画像形成媒体Ｐの裏面に、表面と同様の工程で中間転写ベルト２２に形成されたトナー像が画像形成媒体Ｐの裏面にも転写され、定着器３０により定着される。
【００５２】
次に、図２を参照して、本実施形態に係る画像形成装置１０の機能について説明する。
【００５３】
図２に示すように、画像形成装置１０は、画像データ入力部４０、トナー検知部４２、画質調整判定部４４、画像データ生成部４８、用紙判定部４６、画像形成モード設定部５０、画像出力部５２、及び、記憶部５４を備えている。
【００５４】
記憶部５４には、使用可能なトナーを示すトナー情報５４Ａ、使用可能な画像形成媒体Ｐを示すメディア情報５４Ｂ、及び、設定可能な画像形成モードを示す画像形成モード情報５４Ｃが記憶されている。
【００５５】
トナー情報５４Ａは、一例として図３に示すように、トナーの種類に対して、使用可能であるか否かの情報が各々対応付けられた情報である。本実施形態では、画像形成装置１０において、各々のトナー補充漕２１にトナーボトルが接続されているか否かを検知する図示しない検知手段が設けられている。そして、トナー情報５４Ａにおいて、トナーボトルが接続されていることが検知されたトナーを使用可能であるとし、トナーボトルが接続されていないことが検知されたトナーを使用不可とする。しかし、各々のトナーが使用可能であるか否かを検知する方法はこれに限らず、各々のトナーについて、使用可能であるか否かを示す情報をユーザに入力させる等、公知の手法が適用可能である。
【００５６】
メディア情報５４Ｂは、一例として図４に示すように、画像形成媒体Ｐの種類（材質、サイズ等）に対して、使用可能であるか否かの情報が各々対応付けられた情報である。本実施形態では、例えば、Ａ４サイズの白色用紙を格納するための用紙収容部２６にＡ４サイズの白色用紙が収容されているか否かを光センサで検知し、白色用紙が収容されている場合に、Ａ４サイズの白色用紙が使用可能であるとされる。また、例えば、透明フィルムを格納するための用紙収容部２６に透明フィルムが収容されているか否かを光センサで検知し、透明フィルムが収容されている場合に、透明フィルムが使用可能であるとされる。
【００５７】
画像形成モード情報５４Ｃは、一例として図５に示すように、選択されている画像形成モードが表面に画像形成する表面モード、表面に画像形成する裏面モード、及び、表面及び裏面の両面に画像形成する両面モードの何れであるかを示す情報である。なお、図５に示す例では、選択されている画像形成モードは「選択」と示され、選択されていない画像形成モードは「非選択」と示されている。また、画像形成モード情報５４Ｃでは、表面モード、裏面モード、及び両面モードのうちの何れか１つの画像形成モードが選択された状態となっている。
【００５８】
画像データ入力部４０は、画像形成対象とする画像を入力する。なお、画像データ入力部４０は、後述するキャリブレーション処理、第２実施形態のレジずれ調整処理、及び第３実施形態の面内ムラ調整処理を実施する場合には、画像を入力しない。
【００５９】
トナー検知部４２は、画像形成装置１０において画像形成に用いるトナーが使用可能であるか否かを検知する。後述するキャリブレーション処理を行う場合には、主に、トナー情報５４Ａにおいて白色のトナーが使用可能であるか否かを検知する。
【００６０】
画質調整判定部４４は、白色のトナーのキャリブレーションを行うか否かを判定する。この際、例えば、ユーザが操作表示部７８を操作して白色のトナーのキャリブレーションの実施を指示する旨が入力されている場合に、白色トナーのキャリブレーションを行うと判定する。また、画質調整判定部４４は、白色のトナーのキャリブレーションを行う場合、画像形成媒体Ｐの第１面（表面）に白色のトナーで画像形成し、第１面の反対側の第２面（裏面）を白色以外の色（例えば、黒色）のトナーで画像形成することを決定する。
【００６１】
用紙判定部４６は、画質調整判定部４４により、白色のトナーのキャリブレーションを行うと判定された場合、メディア情報５４Ｂにおいて透明フィルムが使用可能であるか否かを確認する。また、用紙判定部４６は、透明フィルムが使用可能である場合には、画像形成対象とする画像形成媒体Ｐの取得元を、透明フィルムが格納されている用紙収容部２６とする。
【００６２】
画像データ生成部４８は、画像形成媒体Ｐの表面Ｐ１に形成するキャリブレーション用の表面基準パターンと、裏面Ｐ２に形成するキャリブレーション用の裏面基準パターンを生成する。
【００６３】
一例として図６に示すように、表面基準パターン５６は、白色（第１色）のトナーで描画した複数の領域５６Ａ（第１画像）であって、各々印刷カバレッジを異ならせて描画した複数の領域５６Ａを有する。また、図６に示す例では、各々の領域５６Ａに対して、印刷カバレッジを示す情報を描画する印刷カバレッジ表示領域５６Ｂを有する。このように、画像形成媒体Ｐに印刷カバレッジを示す情報を描画することにより、ユーザにより各々の領域５６Ａの印刷カバレッジが確認されるが、ユーザの確認が不要な場合には、画像形成媒体Ｐに印刷カバレッジを示す情報を形成しなくても良い。
【００６４】
また、一例として図６及び図７に示すように、裏面基準パターン５８は、表面基準パターン５６における複数の領域５６Ａに対して表裏方向に対応する位置に、黒色（第２色）のトナーで１００％の印刷カバレッジで描画した複数の領域５８Ａ（第２画像）を有する。また、図６及び図７に示す例では、各々の印刷カバレッジ表示領域５６Ｂに対して、表裏方向に対応する位置に、黒色のトナーで１００％の印刷カバレッジで描画した複数の領域５８Ｂを有する。なお、図６及び図７における矢印Ｘは、画像形成媒体Ｐの搬送方向Ｘを表している。
【００６５】
なお、表面基準パターン５６及び裏面基準パターン５８は、これに限らない。一例として図８及び図９に示すように、裏面基準パターン５８は、複数の領域５６Ａに対して表裏方向に対応する領域を含み、かつ領域５６Ａより広い領域５８Ａであって、黒色のトナーで１００％の印刷カバレッジで描画した領域５８Ａを有するようにしても良い。この場合には、両面モードの画像形成において表裏方向の画像形成位置がずれた場合であっても、キャリブレーションが精度良く行われる。
【００６６】
また、本実施形態では、第１色を白色とし、第２色を黒色とする場合について説明するが、第１色及び第２色はこれに限らず、第１色及び第２色の色差が予め定めた判別閾値以上であれば良い。なお、本実施形態では、第１色のトナーで画像形成した領域と第２色のトナーで画像形成した領域とを測色器６０で測色した場合に、それぞれの領域を判別可能な第１色及び第２色の色差として、予め実験により求めた色差を、上記判別閾値としている。
【００６７】
また、本実施形態では、領域５８Ａが、黒色のトナーで１００％の印刷カバレッジで画像形成される場合について説明するが、黒色のトナーの印刷カバレッジはこれに限らず、予め定めた閾値（例えば、９５％）以上の印刷カバレッジとするようにしても良い。
【００６８】
画像形成モード設定部５０は、画質調整判定部４４により、白色のトナーのキャリブレーションを行うと判定された場合、画像形成モードを両面モードに設定し、画像形成モード情報５４Ｃにおいて選択されている画像形成モードを両面モードとする。
【００６９】
画像出力部５２は、画質調整判定部４４により、白色のトナーのキャリブレーションを行うと判定された場合、画像形成媒体Ｐの表面Ｐ１に白色のトナーで表面基準パターン５６が形成されるように表面基準パターン５６を示す画像情報を出力する。また、画像出力部５２は、画質調整判定部４４により、白色のトナーのキャリブレーションを行うと判定された場合、画像形成媒体Ｐの裏面Ｐ２に黒色のトナーで裏面基準パターン５８が形成されるように、裏面基準パターン５８を示す画像情報を出力する。なお、本実施形態では、画像形成媒体Ｐの表面Ｐ１に表面基準パターン５６を形成し、画像形成媒体Ｐの裏面Ｐ２に裏面基準パターン５８を形成するが、これに限らない。例えば、画像形成媒体Ｐの表面Ｐ１に裏面基準パターン５８を形成し、画像形成媒体Ｐの裏面Ｐ２に表面基準パターン５６を形成しても良い。なお、画像出力部５２は、第１形成手段、第２形成手段、及び第３形成手段の一例である。
【００７０】
補正データ生成部５３は、測色器６０により検出された、画像形成媒体Ｐに形成された表面基準パターン５６の濃度を取得する。そして、補正データ生成部５３は、画像形成媒体Ｐに画像形成された表面基準パターン５６の濃度と目標濃度との差分を打ち消すように出力濃度を補正するための情報である、濃度補正情報（キャリブレーション情報）を生成する。なお、補正データ生成部５３は、取得手段、及び生成手段の一例である。
【００７１】
本実施形態に係る画像形成装置１０は、図１０に示すように、装置全体の動作を司るＣＰＵ（Central Processing Unit）７０に、各部が制御されることにより実現される。すなわち、本実施形態に係る画像形成装置１０は、ＣＰＵ７０、及び各種プログラムや各種パラメータ等が予め記憶されたＲＯＭ（Read Only Memory）７２を備える。また、画像形成装置１０は、ＣＰＵ７０による各種プログラムの実行時のワークエリア等として用いられるＲＡＭ（Random Access Memory）７４、及びフラッシュメモリ等の不揮発性メモリを含む、上述した記憶部５４を備える。
【００７２】
また、画像形成装置１０は、外部装置と通信情報の送受信を行う通信回線Ｉ／Ｆ（Interface）部７６を備える。また、画像形成装置１０は、画像形成装置１０に対するユーザからの指示を受け付けると共に、ユーザに対して画像形成装置１０の動作状況等に関する各種情報を通知する操作表示部７８を備える。なお、操作表示部７８は、例えば、プログラムの実行により操作指示の受け付けを実現する表示ボタンや各種情報が表示されるタッチパネル式のディスプレイ、及びテンキーやスタートボタン等のハードウェアキーを含む。
【００７３】
また、画像形成装置１０は、画像形成部８０を備える。画像形成部８０は、前述した画像形成工程の画像形成に関する各種処理を行う各構成部品を含んで構成されている。
【００７４】
そして、ＣＰＵ７０、ＲＯＭ７２、ＲＡＭ７４、記憶部５４、通信回線Ｉ／Ｆ部７６、操作表示部７８、及び、画像形成部８０の各部がアドレスバス、データバス、及び制御バス等のバス８２を介して互いに接続されている。
【００７５】
このように、本実施形態に係る画像形成装置１０は、ＣＰＵ７０により、ＲＯＭ７２、ＲＡＭ７４、及び記憶部５４に対するアクセス、通信回線Ｉ／Ｆ部７６を介した通信情報の送受信を各々行う。また、画像形成装置１０は、ＣＰＵ７０により、操作表示部７８を介した各種情報の取得、及び操作表示部７８に対する各種情報の表示を各々行う。また、画像形成装置１０は、ＣＰＵ７０により、画像形成部８０による画像形成を行う。また、画像形成装置１０は、ＣＰＵ７０により、測色器６０による検出値を取得する。
【００７６】
次に、本実施形態に係る画像形成装置１０が、予め定めた期間が経過する毎に実行するキャリブレーション処理の流れを、図１１のフローチャートを参照して説明する。なお、本実施形態では、キャリブレーション処理のプログラムは予め記憶部５４に記憶されているが、これに限らない。例えば、キャリブレーション処理のプログラムが通信回線Ｉ／Ｆ部７６を介して外部装置から受信されて記憶部５４に記憶されても良い。また、ＣＤ−ＲＯＭ等の記録媒体に記録されたキャリブレーション処理のプログラムがＣＤ−ＲＯＭドライブ等で読み込まれることにより、キャリブレーション処理が実行されるようにしてもよい。
【００７７】
ステップＳ１０１では、トナー検知部４２が、白色のトナーが使用可能であるか否かを判定する。ステップＳ１０１で白色のトナーが使用可能であると判定した場合（Ｓ１０１，Ｙ）はステップＳ１０３に移行し、白色のトナーが使用不可であると判定した場合（Ｓ１０１，Ｎ）は本キャリブレーション処理のプログラムの実行を終了する。
【００７８】
ステップＳ１０３では、画質調整判定部４４が、白色のトナーのキャリブレーションを実施するか否かを判定する。ステップＳ１０３で白色のトナーのキャリブレーションを実施すると判定した場合はステップＳ１０５に移行し、白色のトナーのキャリブレーションを実施しないと判定した場合は本キャリブレーション処理のプログラムの実行を終了する。
【００７９】
ステップＳ１０５では、用紙判定部４６が、透明フィルムが使用可能であるか否かを判定する。ステップＳ１０５で透明フィルムが使用可能であると判定した場合はステップＳ１０７に移行し、透明フィルムが使用不可であると判定した場合は本キャリブレーション処理のプログラムの実行を終了する。
【００８０】
ステップＳ１０７では、画像データ生成部４８が、表面基準パターン５６及び裏面基準パターン５８を生成する。
【００８１】
ステップＳ１０９では、画像形成モード設定部５０が、画像形成モードを両面モードに設定する。
【００８２】
ステップＳ１１１では、画像出力部５２が、表面基準パターン５６を出力し、画像形成媒体Ｐの表面Ｐ１に白色のトナーで表面基準パターン５６を形成する。
【００８３】
ステップＳ１１３では、画像出力部５２が、裏面基準パターン５８を出力し、画像形成媒体Ｐの裏面Ｐ２に黒色のトナーで裏面基準パターン５８を形成する。
【００８４】
ステップＳ１１５では、補正データ生成部５３が、測色器６０で検出した、画像形成媒体Ｐの表面Ｐ１に白色のトナーで形成された表面基準パターン５６の各々の領域５６Ａの濃度を取得する。
【００８５】
ステップＳ１１７では、補正データ生成部５３が、画像形成媒体Ｐの表面Ｐ１に白色のトナーで形成された表面基準パターン５６の各々の領域５６Ａの濃度と予め決定しておいた目標濃度とから、キャリブレーション情報を生成する。また、補正データ生成部５３が、本キャリブレーション処理のプログラムの実行を終了する。
【００８６】
キャリブレーション情報は、画像形成媒体Ｐの表面Ｐ１に形成された表面基準パターン５６の濃度と目標濃度との差分を打ち消すための補正量を示した情報である。すなわち、表面Ｐ１に形成された表面基準パターン５６の濃度を測色器６０で検出した濃度の検出値と、目標濃度との間でずれが発生している場合がある。その場合に、一例として図１２に示すように、濃度の検出値と目標濃度８６との差分を打ち消すための出力濃度の補正値８４をキャリブレーション情報として記憶する。
【００８７】
このように、本実施形態では、透光性を有する画像形成媒体Ｐである透明フィルムの第１面である表面Ｐ１に、第１色の色材である白色のトナーで、第１画像を予め定めた印刷カバレッジで形成する。また、透明フィルムの第２面である裏面Ｐ２における第１画像が形成された領域に対応する対応領域に、第１色との色差が予め定めた閾値以上である第２色である黒色のトナーで、第２画像を形成する。また、第１画像の濃度を取得し、取得した濃度、及び予め定めた第１画像の目標濃度を用いて、白色のトナーの濃度補正情報を作成する。そして、白色のトナーによる画像形成を行う際に、白色のトナーの濃度補正情報を用いて画像データを補正することにより、画像形成媒体Ｐに白色のトナーで形成される画像の濃度が補正される。これにより、画像形成媒体Ｐに白色のトナーで画像形成した際に、画像における各画素の濃度が画像形成媒体Ｐ上で忠実に再現される。
【００８８】
〔第２実施形態〕
【００８９】
次に、第２実施形態に係る画像形成装置について説明する。なお、第２実施形態では、透光性を有する画像形成媒体Ｐを用いて白色のトナーのレジずれ調整を実施する場合について説明する。
【００９０】
すなわち、上記第１実施形態では、表面Ｐ１に形成された表面基準パターン５６の濃度及び目標濃度を用いて白色のトナーのキャリブレーション情報を生成する場合について説明した。一方、本第２実施形態では、白色のトナーによる画像形成領域、及び白色以外の色のトナーの画像形成領域の位置のずれ量を用いて、白色のトナーのレジずれ調整情報を生成する場合について説明する。
【００９１】
第２実施形態に係る画像形成装置の構成は、上記第１実施形態に係る画像形成装置１０と同じであるため、各構成の説明を省略する。
【００９２】
ただし、第２実施形態では、第１実施形態の表面基準パターン５６及び裏面基準パターン５８とは異なる、表面基準パターン５６Ｃ及び裏面基準パターン５８Ｃが用いられる。
【００９３】
一例として図１３に示すように、表面Ｐ１の表面基準パターン５６Ｃは、搬送方向Ｘに隣接させた、白色のトナーで描画した領域５６Ｄ（第１画像）、及び白色及び黒色の何れとも異なる色（第３色）のトナーで描画した領域５６Ｅ（第３画像）の組を複数有する。この場合の領域５６Ｄ及び領域５６Ｅの組は、搬送方向Ｘと交差する方向である搬送幅方向Ｙにおける位置が等しくなるように配置されている。また、表面基準パターン５６Ｃでは、搬送方向Ｘに対して直交する方向である搬送幅方向Ｙに隣接させた、領域５６Ｄ及び領域５６Ｅの組を複数有する。この場合の領域５６Ｄ及び領域５６Ｅの組は、搬送方向Ｘにおける位置が等しくなるように配置されている。なお、本実施形態では、第３色のトナーとして、シアン（Ｃ）、マゼンタ（Ｍ）、イエロー（Ｙ）の何れかの色のトナーが用いられる。
【００９４】
また、一例として図１３に示すように、裏面Ｐ２の裏面基準パターン５８Ｃは、表面基準パターン５６Ｃにおける複数の領域５６Ｄ及び領域５６Ｅの組に対して表裏方向に対応する領域を含む領域に、黒色のトナーで１００％の印刷カバレッジで描画した領域５８Ｄ（第３画像）を有する。
【００９５】
また、補正データ生成部５３は、画像形成媒体Ｐに形成された表面基準パターン５６をスキャナで読み取った読取画像から、領域５６Ｄ及び領域５６Ｅの組の相互のずれ量を取得する。そして、補正データ生成部５３は、領域５６Ｄ及び領域５６Ｅの組の相互のずれ量を打ち消すように白色のトナーで画像形成する場合の画像形成位置のずれを調整するための情報である、レジずれ調整情報を生成する。
【００９６】
なお、本実施形態では、上述したように、搬送方向Ｘに隣接させた複数の領域５６Ｄ及び領域５６Ｅの組における相互の搬送幅方向Ｙのずれ量を取得する。そのため、白色のトナーで画像形成する場合の画像形成位置の搬送幅方向Ｙにおけるレジずれが調整される。また、搬送幅方向Ｙに隣接させた複数の領域５６Ｄ及び領域５６Ｅの組における相互の搬送方向Ｘのずれ量を取得する。そのため、白色のトナーで画像形成する場合の画像形成位置の搬送方向Ｘにおけるレジずれが調整される。
【００９７】
次に、本実施形態に係る画像形成装置１０が、予め定めた期間が経過する毎に実行するレジずれ調整処理の流れを、図１４のフローチャートを参照して説明する。なお、本実施形態では、レジずれ調整処理のプログラムは予め記憶部５４に記憶されているが、これに限らない。例えば、レジずれ調整処理のプログラムが通信回線Ｉ／Ｆ部７６を介して外部装置から受信されて記憶部５４に記憶されても良い。また、ＣＤ−ＲＯＭ等の記録媒体に記録されたレジずれ調整処理のプログラムがＣＤ−ＲＯＭドライブ等で通信回線Ｉ／Ｆ部７６を介して読み込まれることにより、レジずれ調整処理が実行されるようにしてもよい。
【００９８】
ステップＳ２０１乃至Ｓ２１３では、ステップＳ１０１乃至Ｓ１２３と同様の処理を行う。なお、ステップＳ２０３では、画質調整判定部４４が、白色のトナーのレジずれ調整を実施するか否かを判定する。
【００９９】
ステップＳ２１５では、画像形成媒体Ｐに形成された表面基準パターン５６Ｃをスキャナで読み取った読取画像を取得する。本実施形態では、外部に設けられたスキャナで読み取った読取画像を通信回線Ｉ／Ｆ部７６を介して取得するが、これに限らない。例えば、画像形成装置１０のバス８２にスキャナが接続されていて、接続されたスキャナから読取画像を取得しても良い。また、画像形成装置１０にスキャナが組み込まれていて、画像形成装置１０に組み込まれたスキャナで読み取った読み取り画像を取得しても良い。
【０１００】
ステップＳ２１７では、取得した読取画像から、領域５６Ｄ及び領域５６Ｅの組の相互のずれ量を取得し、レジずれ調整情報を生成して、本レジずれ調整処理のプログラムの実行を終了する。
【０１０１】
このように、本実施形態では、透光性を有する画像形成媒体Ｐである透明フィルムの第１面である表面に、第１色である白色及び第２色である黒色の何れとも異なる第３色の色材であるイエロー（Ｗ）のトナーで、第１画像と隣接させて第３画像を形成する。また、第１画像と第３画像とのずれ量を取得し、取得したずれ量を用いて、白色のトナーの位置調整情報を生成する。白色のトナーによる画像形成を行う際に、白色のトナーの位置調整情報を用いて画像データを補正することにより、白色のトナーで形成された画像のレジずれが調整される。
【０１０２】
〔第３実施形態〕
【０１０３】
次に、第３実施形態に係る画像形成装置について説明する。なお、第３実施形態では、透光性を有する画像形成媒体Ｐを用いて白色のトナーの面内ムラ調整を実施する場合について説明する。
【０１０４】
すなわち、上記第２実施形態では、白色のトナーによる画像形成領域、及び白色以外の色のトナーの画像形成領域の位置のずれ量を用いて、白色のトナーのレジずれ調整情報を生成する場合について説明した。一方、本第３実施形態では、表面Ｐ１に形成された第１画像内の複数の位置での濃度を用いて白色のトナーの面内ムラ調整情報を生成する場合について説明する。
【０１０５】
第３実施形態に係る画像形成装置の構成は、上記第１実施形態及び第２実施形態に係る画像形成装置１０と同じであるため、各構成の説明を省略する。
【０１０６】
ただし、第３実施形態では、第１実施形態の表面基準パターン５６及び裏面基準パターン５８、及び、第２実施形態の表面基準パターン５６Ｃ及び裏面基準パターン５８Ｃとは異なる、表面基準パターン５６Ｆ及び裏面基準パターン５８Ｅが用いられる。
【０１０７】
一例として図１５に示すように、表面基準パターン５６Ｆは、搬送方向Ｘに伸びた白色のトナーで描画した領域５６Ｇ（第１画像）を有する。本実施形態では、表面基準パターン５６Ｆは、白色のトナーにより画像形成可能な領域内に、搬送幅方向Ｙに沿って並列する４つの領域５６Ｇを有するが、領域５６Ｇの形態はこれに限らない。白色のトナーにより画像形成可能な領域の全体を領域５６Ｇとしても良く、搬送方向Ｘに沿って並列する複数の領域を各々領域５６Ｇとしても良い。
【０１０８】
また、裏面基準パターン５８Ｅでは、表面基準パターン５６Ｆにおける領域５６Ｇに対して表裏方向に対応する領域を含む領域に、黒色のトナーで１００％の印刷カバレッジで描画した領域５８Ｆ（第２画像）を有する。
【０１０９】
また、補正データ生成部５３は、測色器６０により検出された、画像形成媒体Ｐに形成された表面基準パターン５６Ｆの領域５６Ｇ内の複数の位置での濃度を取得する。本実施形態では、領域５６Ｇ内において搬送方向Ｘに沿った複数の位置における濃度を取得する。これにより、搬送方向Ｘに沿った面内ムラ、すなわち現像ロール１８、二次転写ロール２８Ｂ等により発生する周期的な面内ムラが検出される。
【０１１０】
なお、領域５６Ｇ内において搬送幅方向Ｙに沿った複数の位置における濃度を取得しても良い。この場合には、搬送幅方向Ｙに沿った面内ムラ、すなわち現像ロール１８、二次転写ロール２８Ｂ等の歪み等により発生する面内ムラが検出される。
【０１１１】
そして、補正データ生成部５３は、白色のトナーで画像形成する領域５６Ｇの各々の位置における濃度を平準化するための情報である、面内ムラ調整情報を生成する。
【０１１２】
次に、本実施形態に係る画像形成装置１０が、予め定めた期間が経過する毎に実行する面内ムラ調整処理の流れを、図１６のフローチャートを参照して説明する。なお、本実施形態では、面内ムラ調整処理のプログラムは予め記憶部５４に記憶されているが、これに限らない。例えば、面内ムラ調整処理のプログラムが通信回線Ｉ／Ｆ部７６を介して外部装置から受信されて記憶部５４に記憶されても良い。また、ＣＤ−ＲＯＭ等の記録媒体に記録された面内ムラ調整処理のプログラムがＣＤ−ＲＯＭドライブ等で通信回線Ｉ／Ｆ部７６を介して読み込まれることにより、面内ムラ調整処理が実行されるようにしてもよい。
【０１１３】
ステップＳ３０１乃至Ｓ３１３では、ステップＳ１０１乃至Ｓ１２３と同様の処理を行う。なお、ステップＳ３０３では、画質調整判定部４４が、白色のトナーの面内ムラ調整を実施するか否かを判定する。
【０１１４】
ステップＳ３１５では、補正データ生成部５３が、測色器６０で検出した、表面Ｐ１に白色のトナーで形成された表面基準パターン５６Ｆの各々の領域５６Ｇ内の複数の位置での濃度を取得する。
【０１１５】
ステップＳ３１７では、補正データ生成部５３が、表面Ｐ１に白色のトナーで形成された表面基準パターン５６Ｆの各々の領域５６Ｇ内の複数の位置での濃度、及び目標濃度から、面内ムラ調整情報を生成し、本面内ムラ調整処理のプログラムの実行を終了する。
【０１１６】
面内ムラ調整情報は、表面Ｐ１に白色のトナーで形成された表面基準パターン５６Ｆの各々の領域５６Ｇ内の濃度と目標濃度との差分を打ち消すための補正量を、位置毎に示した情報である。本実施形態では、表面Ｐ１に白色のトナーで形成された画像内の位置による濃度のバラつきを平準化することを目的としているため、一例として図１７Ａに示すように、位置毎の目標濃度８８が一定となる。そこで、表面Ｐ１に白色のトナーで形成された表面基準パターン５６Ｆの各々の領域５６Ｇ内の位置毎の濃度の検出値９０と位置毎の目標濃度８８との差分を打ち消すためのレーザ光量の補正値を位置毎に面内ムラ調整情報として記憶しておく。すなわち、レーザ光量を、一例として図１７Ｂに示すレーザ光量９１とした場合に、図１７Ａに示す濃度の検出値９０のように面内ムラが発生している場合がある。この面内ムラを考慮し、濃度の検出値が目標濃度８８となるように、レーザ光量を補正した補正値９２を面内ムラ情報として記憶する。そして、白色のトナーで画像形成を行う際に面内ムラ調整情報を用いて、一例として図１７Ｂに示すように、例えばレーザ光量を面内ムラ調整情報に応じて位置毎に補正した補正値９２とする。これにより、白色のトナーで画像形成される際の画像形成媒体Ｐ上での面内ムラが調整される。
【０１１７】
このように、本実施形態では、透光性を有する画像形成媒体Ｐである透明フィルムの第１面である表面Ｐ１に、第１色の色材である白色のトナーで、第１画像を予め定めた目標濃度で形成する。また、透明フィルムの第２面である裏面Ｐ２における第１画像が形成された領域に対応する対応領域に、第１色との色差が予め定めた閾値以上である第２色である黒色のトナーで、第２画像を形成する。また、表面Ｐ１に形成された第１画像内の複数の位置での濃度を取得し、取得した複数の位置での濃度を用いて、白色のトナーの面内ムラ調整情報を作成する。そして、白色のトナーによる画像形成を行う際に、白色のトナーの面内ムラ調整情報を用いて出力特性を補正することにより、画像形成媒体Ｐに白色のトナーで形成された画像の面内ムラが補正される。
【０１１８】
以上のように、第１実施形態乃至第３実施形態によると、透明フィルムの表面Ｐ１に白色のトナーで画像形成を行い、裏面Ｐ２に黒色のトナーで画像形成を行う。これにより、同一の面に対して複数回の画像形成を行わなくて良く、また、下地とする黒色のトナーの凸凹の影響を受けずにキャリブレーション等を実施でき、白色のトナーの画質調整の精度が向上する。
【０１１９】
また、特に、白色のトナーの画質調整を行う画像形成装置が、連続用紙用の画像形成装置であった場合には、同一の面に対する複数回の画像形成を行う工程が作業者にとって煩雑であり、時間を要する。しかしながら、第１実施形態乃至第３実施形態によると、画像形成モードを両面モードとして、表面Ｐ１に対する画像形成と裏面Ｐ２に対する画像形成とが一連の動作で行われ、効率化が測られる。ただし、画像形成媒体Ｐとしてカットされた用紙（透明フィルムも含む）が用いられる場合には、表面Ｐ１に対する画像形成と裏面Ｐ２に対する画像形成とを各々個別に行っても良い。
【０１２０】
また、白色のトナーのキャリブレーションを実施する前に、黒色のトナーのキャリブレーションを実施しておくと良い。これにより、裏面基準パターン５８における黒色の領域が１００％の印刷カバレッジで精度良く画像形成されるため、白色のトナーのキャリブレーションの精度が向上する。
【０１２１】
また、第１実施形態乃至第３実施形態では、画像形成装置１０が所謂レーザプリンタである場合について説明したが、これに限らない。例えば、画像形成装置１０が所謂インクジェットプリンタであっても、上述したキャリブレーション処理、レジずれ調整処理、及び面内ムラ調整処理が同様に行われ、同様の効果が得られる。
【０１２２】
また、上記各実施形態で説明した画像形成装置１０の構成（図１、図２、図１０参照。）は一例である。すなわち、本発明の主旨を逸脱しない範囲内において不要な部分を削除したり、新たな部分を追加したりしてもよいことは言うまでもない。
【０１２３】
また、上記各実施形態で説明した各種プログラムの処理の流れ（図１１、図１４、図１６参照。）も一例である。すなわち、本発明の主旨を逸脱しない範囲内において不要なステップを削除したり、新たなステップを追加したり、処理順序を入れ替えたりしてもよいことは言うまでもない。
【符号の説明】
【０１２４】
１０    画像形成装置
１２    感光体
１４    帯電器
１８    現像ロール
２０    現像器
２１    トナー補充漕
２２    中間転写ベルト
２４    一次転写器
２８    二次転写装置
３４    二次転写ベルト
４０    画像データ入力部
４２    トナー検知部
４４    画質調整判定部
４６    用紙判定部
４８    画像データ生成部
５０    画像形成モード設定部
５２    画像出力部
５３    補正データ生成部
５４    記憶部
５４Ａ    トナー情報
５４Ｂ    メディア情報
５４Ｃ    画像形成モード情報
６０    測色器
７０    ＣＰＵ
８０    操作表示部
Ｐ      画像形成媒体
Ｐ１    表面
Ｐ２    裏面
【図１】
2017058399.tif 000003
【図２】
2017058399.tif 000004
【図３】
2017058399.tif 000005
【図４】
2017058399.tif 000006
【図５】
2017058399.tif 000007
【図６】
2017058399.tif 000008
【図７】
2017058399.tif 000009
【図８】
2017058399.tif 000010
【図９】
2017058399.tif 000011
【図１０】
2017058399.tif 000012
【図１１】
2017058399.tif 000013
【図１２】
2017058399.tif 000014
【図１５】
2017058399.tif 000015
【図１６】
2017058399.tif 000016
【図１７Ａ】
2017058399.tif 000017
【図１７Ｂ】
2017058399.tif 000018
【図１３】
2017058399.tif 000019
【図１４】
2017058399.tif 000020